(57)【要約】【課題】地震等による揺れが発生したときの消費電流を低減する【解決手段】ＣＰＵ３６は、地震等による揺れが発生したと判定して、揺れ処理スイッチがオンしていると、揺れセンサ３１から供給された揺れ検知信号の信号レベルに基づいて、震度を推定する。ＣＰＵ３６は、光センサ３２から供給された光検知信号に基づいて明るいと判定した場合、発光器２５を消灯する。暗いと判定した場合、ＣＰＵ３６は、推定した推定震度に基づいて、明るさを設定して発光器２５を点灯する。ＣＰＵ３６は、揺れている時間を計時し、揺れ検知信号の信号レベルが揺れ判定値未満になった場合、揺れに関するデータとして、発震時刻、揺れの継続時間、推定震度を不揮発性メモリ３３に記憶する。表示スイッチがオンすると、ＣＰＵ３６は、これらのデータを不揮発性メモリ３３から読み出して表示部２６に表示させる。【選択図】図１
2007248130.tif 000002
【特許請求の範囲】
【請求項１】
揺れを検知して、揺れの大きさに対応する信号レベルの揺れ検知信号を出力する揺れ検知部と、
周囲の光を検知して、検知した光の強度に対応する信号レベルの光検知信号を出力する光検知部と、
光を発する発光部と、
前記揺れ検知部が出力した揺れ検知信号の信号レベルと予め設定された揺れ判定値とを比較し、前記揺れ検知信号の信号レベルが前記揺れ判定値以上となった場合に、前記光検知部の光検知信号の信号レベルと予め設定された明るさ判定値とを比較し、比較結果に基づいて周囲が明るいか暗いかを判定する明るさ判定部と、
周囲が暗いと前記明るさ判定部が判定した場合には、前記発光部を点灯するように制御し、周囲が明るいと前記明るさ判定部が判定した場合には、前記発光部を消灯するように制御する制御部と、を備えた、
ことを特徴とする地震報知時計。
【請求項２】
揺れに関するデータを記憶する記憶部を備えた、
ことを特徴とする請求項１に記載の地震報知時計。
【請求項３】
データを表示する表示部を備え、
前記制御部は、前記記憶部から、記憶されたデータを読み出して、読み出したデータを前記表示部に表示させる、
ことを特徴とする請求項２に記載の地震報知時計。
【請求項４】
前記制御部は、前記揺れ検知部が出力した揺れ検知信号の信号レベルに基づいて、判別した揺れの大きさを前記記憶部に記憶する、
ことを特徴とする請求項２又は３に記載の地震報知時計。
【請求項５】
時刻を計時する時計部を備え、
前記制御部は、前記時計部から時刻を取得し、揺れが発生した時刻を前記記憶部に記憶する、
ことを特徴とする請求項２乃至４のいずれか１項に記載の地震報知時計。
【請求項６】
前記制御部は、前記時計部から時刻を取得し、前記揺れ検知信号の信号レベルが前記揺れ判定値以上となっている時間を計時し、前記揺れ検知信号の信号レベルが前記揺れ判定値未満となったときに、計時した時間を揺れの継続時間として前記記憶部に記憶する、
ことを特徴とする請求項５に記載の地震報知時計。
【請求項７】
前記制御部は、前記揺れ検知部が出力した揺れ検知信号の信号レベルに基づいて、揺れの大きさを判別し、判別した揺れの大きさに基づいて、前記発光部が発光する光の明るさを設定する、
ことを特徴とする請求項１乃至６のいずれか１項に記載の地震報知時計。
【請求項８】
前記制御部は、前記揺れ検知部が出力した揺れ検知信号の信号レベルに基づいて、揺れの大きさを判別し、判別した揺れの大きさに基づいて、前記発光部が光を発する発光時間を設定する、
ことを特徴とする請求項１乃至７のいずれか１項に記載の地震報知時計。
【請求項９】
揺れを検知して、揺れの大きさに対応する信号レベルの揺れ検知信号を出力するステップと、
光を検知して、検知した光強度に対応する信号レベルの光検知信号を出力するステップと、
前記揺れ検知信号の信号レベルと予め設定された揺れ判定値とを比較し、前記揺れ検知信号の信号レベルが前記揺れ判定値以上のときは、揺れが発生したと判定するステップと、
揺れが発生したと判定した場合に、前記光検知信号の信号レベルと予め設定された明るさ判定値とを比較して、前記光検知信号の信号レベルが前記明るさ判定値を越えた場合には、周囲が明るいと判定し、前記光検知信号の信号レベルが前記明るさ判定値以下の場合には、周囲が暗いと判定するステップと、
周囲が暗いと判定した場合には、光を発し、周囲が明るいと判定した場合には、消灯させるように制御するステップと、を備えた、
ことを特徴とする地震報知時計の地震報知方法。
【発明の詳細な説明】
【技術分野】
【０００１】
本発明は、地震報知時計及びその地震報知方法に関するものである。
【背景技術】
【０００２】
地震の揺れを検知してＥＬ（Electro-Luminescence）素子を発光させる地震報知時計がある（例えば、特許文献１参照）。
【０００３】
この地震報知時計は、地震による振動を検知して、ＥＬ素子を点灯する。これにより、地震報知時計は、周囲が暗い場合に、手元を明るくする照明として機能する。
【特許文献１】特開平１０−１９７６６６号公報（第２頁、図１）
【発明の開示】
【発明が解決しようとする課題】
【０００４】
しかし、従来の地震報知時計では、周囲環境が明るい場合でもＥＬ素子が発光してしまい、照明として機能してしまう。このため、消費電流が大きくなり電池寿命を短くしてしまう。
【０００５】
また、地震が発生しても、ＥＬ素子を点灯させるだけでは、例えば、発震時刻、震度といった揺れに関する情報を取得することができない。
【０００６】
本発明は、このような従来の問題点に鑑みてなされたもので、消費電流を低減することが可能な地震報知時計及びその地震報知方法を提供することを目的とする。
また、本発明は、揺れに関する情報を取得することが可能な地震報知時計及びその地震報知方法を提供することを目的とする。
【課題を解決するための手段】
【０００７】
この目的を達成するため、本発明の第１の観点に係る地震報知時計は、
揺れを検知して、揺れの大きさに対応する信号レベルの揺れ検知信号を出力する揺れ検知部と、
周囲の光を検知して、検知した光の強度に対応する信号レベルの光検知信号を出力する光検知部と、
光を発する発光部と、
前記揺れ検知部が出力した揺れ検知信号の信号レベルと予め設定された揺れ判定値とを比較し、前記揺れ検知信号の信号レベルが前記揺れ判定値以上となった場合に、前記光検知部の光検知信号の信号レベルと予め設定された明るさ判定値とを比較し、比較結果に基づいて周囲が明るいか暗いかを判定する明るさ判定部と、
周囲が暗いと前記明るさ判定部が判定した場合には、前記発光部を点灯するように制御し、周囲が明るいと前記明るさ判定部が判定した場合には、前記発光部を消灯するように制御する制御部と、を備えたことを特徴とする。
【０００８】
揺れに関するデータを記憶する記憶部を備えてもよい。
【０００９】
データを表示する表示部を備え、
前記制御部は、前記記憶部から、記憶されたデータを読み出して、読み出したデータを前記表示部に表示させるようにしてもよい。
【００１０】
前記制御部は、前記揺れ検知部が出力した揺れ検知信号の信号レベルに基づいて、判別した揺れの大きさを前記記憶部に記憶するようにしてもよい。
【００１１】
時刻を計時する時計部を備え、
前記制御部は、前記時計部から時刻を取得し、揺れが発生した時刻を前記記憶部に記憶するようにしてもよい。
【００１２】
前記制御部は、前記時計部から時刻を取得し、前記揺れ検知信号の信号レベルが前記揺れ判定値以上となっている時間を計時し、前記揺れ検知信号の信号レベルが前記揺れ判定値未満となったときに、計時した時間を揺れの継続時間として前記記憶部に記憶するようにしてもよい。
【００１３】
前記制御部は、前記揺れ検知部が出力した揺れ検知信号の信号レベルに基づいて、揺れの大きさを判別し、判別した揺れの大きさに基づいて、前記発光部が発光する光の明るさを設定するようにしてもよい。
【００１４】
前記制御部は、前記揺れ検知部が出力した揺れ検知信号の信号レベルに基づいて、揺れの大きさを判別し、判別した揺れの大きさに基づいて、前記発光部が光を発する発光時間を設定するようにしてもよい。
【００１５】
本発明の第２の観点に係る地震報知時計の地震報知方法は、
揺れを検知して、揺れの大きさに対応する信号レベルの揺れ検知信号を出力するステップと、
光を検知して、検知した光強度に対応する信号レベルの光検知信号を出力するステップと、
前記揺れ検知信号の信号レベルと予め設定された揺れ判定値とを比較し、前記揺れ検知信号の信号レベルが前記揺れ判定値以上のときは、揺れが発生したと判定するステップと、
揺れが発生したと判定した場合に、前記光検知信号の信号レベルと予め設定された明るさ判定値とを比較して、前記光検知信号の信号レベルが前記明るさ判定値を越えた場合には、周囲が明るいと判定し、前記光検知信号の信号レベルが前記明るさ判定値以下の場合には、周囲が暗いと判定するステップと、
周囲が暗いと判定した場合には、光を発し、周囲が明るいと判定した場合には、消灯させるように制御するステップと、を備えたことを特徴とする。
【発明の効果】
【００１６】
本発明によれば、消費電流を低減することができる。また、揺れに関する情報を取得することができる。
【発明を実施するための最良の形態】
【００１７】
以下、本発明の実施の形態に係る装置を図面を参照して説明する。
本実施形態に係る地震報知時計１の構成を図１に示す。また、地震報知時計１の前面、背面を、それぞれ、図２（ａ）、（ｂ）に示す。
【００１８】
本実施形態に係る地震報知時計１は、時間を報知するととともに、地震等の揺れを検知して、その揺れを報知する時計であり、電源部１１と、時計部１２と、揺れ処理部１３と、からなる。
【００１９】
電源部１１は、時計部１２と揺れ処理部１３とに電流を供給するためのものである。電源部１１は、乾電池からなるものであってもよいし、商用電源の交流電力を直流電力に変換する電源であってもよい。
【００２０】
時計部１２は、時刻を計時する通常の時計であり、時計機構部２１と、アラーム音出力部２２と、操作部２３と、時計回路２４と、発光器２５と、表示部２６と、からなる。
【００２１】
時計機構部２１は、図２（ａ）に示す地震報知時計１の文字盤１４上の短針２１ａ、長針２１ｂ、秒針２１ｃ、及びこれらの針を連動させる歯車等（図示せず）によって構成されたものである。
【００２２】
アラーム音出力部２２は、アラーム音を出力するためのものであり、図２（ｂ）に示すように、地震報知時計１の背面に配置される。
【００２３】
操作部２３は、地震報知時計１を操作するためのものであり、時刻合わせダイアル２３ａと、アラームスイッチ２３ｂと、アラーム時刻セットスイッチ２３ｃと、押しボタンスイッチ２３ｄと、揺れ処理スイッチ２３ｅと、点灯スイッチ２３ｆと、表示スイッチ２３ｇと、からなる。
【００２４】
時計合わせダイアル２３ａは、図２（ａ）に示す文字盤１４上の短針２１ａ、長針２１ｂ、秒針２１ｃを、設定時間にセットするためのものである。アラームスイッチ２３ｂは、アラームをセットするためのスイッチである。アラーム時刻セットスイッチ２３ｃは、アラーム時刻をセットするためのスイッチである。
【００２５】
押しボタンスイッチ２３ｄは、出力されたアラーム音を停止させるためのスイッチである。揺れ処理スイッチ２３ｅは、揺れ処理を行うためのスイッチであり、このスイッチのオンは、揺れ処理の実行を許可する旨を示す。
【００２６】
点灯スイッチ２３ｆは、発光器２５の点灯、消灯を行うためのスイッチであり、このスイッチのオンは、発光器２５を点灯させることを示し、このスイッチのオフは、消灯させることを示す。表示スイッチ２３ｇは、揺れに関するデータ表示を行うためのスイッチであり、このスイッチがオンされると、揺れに関するデータ表示を行うことを示す。
【００２７】
図２（ｂ）に示すように、時刻合わせダイアル２３ａと、アラームスイッチ２３ｂと、アラーム時刻セットスイッチ２３ｃと、揺れ処理スイッチ２３ｅと、点灯スイッチ２３ｆと、表示スイッチ２３ｇとは、地震報知時計１の背面に配置され、押しボタンスイッチ２３ｄは、図２（ａ）、（ｂ）に示すように、地震報知時計１の上部に配置される。
【００２８】
時計回路２４は、発振器等（図示せず）を備え、発振器が出力する周波数信号に基づいて時計機構部２１を駆動するものである。
【００２９】
発光器２５は、光を発するものであり、ＥＬ素子、ＬＥＤ等によって構成される。図２（ａ）に示す文字盤１４は、例えば、半透明の材料で形成され、発光器２５は、この文字盤１４の背面に配置される。
【００３０】
表示部２６は、地震等による揺れに関するデータを表示するためのものである。図２（ａ）に示すように、地震報知時計１の前面には、ディスプレイ２６ａが配置され、表示部２６は、このディスプレイ２６ａとその駆動部（図示せず）とによって構成される。
【００３１】
揺れ処理部１３は、揺れを検知して、検知した揺れに対する処理を行うものであり、揺れセンサ３１と、光センサ３２と、不揮発性メモリ３３と、ＲＯＭ（Read Only Memory）３４と、ＲＡＭ（Random Access Memory）３５と、ＣＰＵ（Central Processing Unit）３６と、を備える。
【００３２】
揺れセンサ３１は、地震等の揺れを検知するセンサである。地震波の周波数は、0.1 Hzから１kHz程度であり、揺れセンサ３１には、例えば、このような周波数で揺れを検知できるようなセンサが用いられる。
【００３３】
このようなセンサとして、揺れセンサ３１には、例えば、圧電素子を利用した圧電フィルムが用いられる。圧電フィルムは、圧電素子としてピエゾフィルムの両面に導電材を塗布した構造を有するものである。
【００３４】
揺れセンサ３１は、このような構造を有するものであり、揺れを検知すると、揺れの大きさに対応する信号レベルの揺れ検知信号をＣＰＵ３６に供給する。
【００３５】
光センサ３２は、光を検知するセンサである。光センサ３２には、ＣｄＳセル、ＬＥＤ等が用いられる。光センサ３２は、図２（ａ）に示すように、例えば、地震報知時計１の前面に配置され、光強度に対応する信号レベルの光検知信号をＣＰＵ３６に供給する。
【００３６】
不揮発性メモリ３３は、地震等による揺れに関するデータを記憶するためのものである。ＲＯＭ３４は、ＣＰＵ３６が実行するプログラムを記憶するためのメモリである。ＲＡＭ３５は、ＣＰＵ３６がプログラムを実行するために必要な作業データを記憶するためのメモリである。
【００３７】
ＣＰＵ３６は、地震報知時計１の動作を制御するものである。
具体的には、まず、ＣＰＵ３６は、揺れセンサ３１から供給された揺れ検知信号の信号レベルと予め設定された揺れ判定値とを比較して、地震等による揺れが発生したか否かを判定する。この揺れ判定値は、例えば、震度１に設定され、不揮発性メモリ３３は、この揺れ判定値を記憶する。
【００３８】
ＣＰＵ３６は、揺れ検知信号の信号レベルが揺れ判定値以上の場合に、地震等による揺れが発生したと判定する。
【００３９】
また、ＣＰＵ３６は、操作部２３の揺れ処理スイッチ２３ｅのオン、オフを監視する。ＣＰＵ３６は、揺れ処理スイッチ２３ｅがオンしている場合に、地震等による揺れが発生したと判定すると、揺れ検知処理を実行する。
【００４０】
ＣＰＵ３６は、揺れ検知処理において、時計回路２４から発震時刻を取得し、揺れセンサ３１から供給された揺れ検知信号の信号レベルに基づいて揺れの大きさを推定する。ＣＰＵ３６は、この揺れの大きさに、例えば、０〜４、５弱、５強、６弱、６強、７の１０階級に区分された震度を用いる。
【００４１】
ＣＰＵ３６は、周囲が暗い場合にのみ、発光器２５を点灯させる。このため、ＣＰＵ３６は、光センサ３２から供給された光検知信号の信号レベルと予め設定された明るさ判定値とを比較して、周囲が明るいか否かを判定する。不揮発性メモリ３３は、この明るさ判定値を予め記憶する。
【００４２】
ＣＰＵ３６は、光検知信号の信号レベルが予め設定された明るさ判定値を越えている場合には、明るいと判定し、信号レベルが明るさ判定値以下の場合には、暗いと判定する。
【００４３】
ＣＰＵ３６は、明るいと判定した場合には、消費電流の低減のため、発光器２５を消灯し、暗いと判定した場合に、発光器２５を点灯させる。尚、ＣＰＵ３６は、発光器２５を点灯させる場合、揺れの大きさとして推定した推定震度に基づいて、発光器２５が光を発する明るさと発光時間とを設定する。
【００４４】
また、ＣＰＵ３６は、時計回路２４から取得した時刻に基づいて、発光器２５が点灯している時間を計時する。
【００４５】
ＣＰＵ３６は、揺れ検知信号の信号レベルが揺れ判定値未満になった場合、計時した時間を揺れの継続時間として取得する。
【００４６】
そして、ＣＰＵ３６は、この発震時刻、揺れの継続時間、揺れの大きさとして推定される推定震度等のデータを不揮発性メモリ３３に記憶する。
【００４７】
そして、ＣＰＵ３６は、操作部２３の表示スイッチ２３ｇがオンすると、不揮発性メモリ３３から、これらのデータを読み出して、表示部２６のディスプレイ２６ａに表示させる。
【００４８】
次に本実施形態に係る地震報知時計１の動作を説明する。
揺れセンサ３１は、揺れを検知すると、ＣＰＵ３６に揺れ検知信号を供給する。ＣＰＵ３６は、揺れ検知信号の信号レベルが揺れ判定値以上となった場合、ＣＰＵ３６は、地震による揺れが発生したと判定する。
【００４９】
このように判定すると、ＣＰＵ３６は、操作部２３の揺れ処理スイッチ２３ｅのオン、オフを判別し、揺れ処理スイッチ２３ｅがオンしている場合、ＲＯＭ３４からプログラムを読み出し、図３に示すフローチャートに従って、揺れ検知処理を実行する。
【００５０】
ＣＰＵ３６は、時計回路２４から発震時刻を取得する（ステップＳ１１）。
ＣＰＵ３６は、揺れセンサ３１から供給された揺れ検知信号の信号レベルに基づいて揺れの大きさを示す震度を推定する（ステップＳ１２）。
【００５１】
ＣＰＵ３６は、光センサ３２から供給された光検知信号の信号レベルと明るさ判定値とを比較し、比較結果に基づいて、周囲が明るいか否かを判定する（ステップＳ１３）。
【００５２】
周囲が明るいと判定した場合（ステップＳ１３においてＹｅｓ）、ＣＰＵ３６は、ステップＳ１７に進む。
【００５３】
一方、周囲が暗いと判定した場合（ステップＳ１３においてＮｏ）、ＣＰＵ３６は、推定した震度を推定震度として、この推定震度に基づいて発光器２５の明るさを設定する（ステップＳ１４）。
【００５４】
ＣＰＵ３６は、推定震度に基づいて発光器２５が光を発する発光時間を設定する（ステップＳ１５）。
【００５５】
ＣＰＵ３６は、発光器２５を、この設定した明るさで、設定した発光時間だけ点灯する（ステップＳ１６）。
【００５６】
ＣＰＵ３６は、時計回路２４から時刻を取得した時刻データに基づいて、揺れ検知信号の信号レベルが揺れ判定値以上となっている時間を揺れの継続時間として計時する（ステップＳ１７）。
【００５７】
ＣＰＵ３６は、揺れセンサ３１から供給された揺れ検知信号の信号レベルが揺れ判定値未満になったか否かを判定する（ステップＳ１８）。
【００５８】
揺れ検知信号の信号レベルが揺れ判定値以上と判定した場合（ステップＳ１８においてＮｏ）、ＣＰＵ３６は、ステップＳ１１〜Ｓ１７の処理を、再度、実行する。  
【００５９】
揺れ検知信号の信号レベルが揺れ判定値未満と判定した場合（ステップＳ１８においてＹｅｓ）、ＣＰＵ３６は、発光器２５を消灯し（ステップＳ１９）、揺れに関するデータとして、発震時刻、揺れの継続時間、推定振動の各データを不揮発性メモリ３３に記憶する（ステップＳ２０）。そして、ＣＰＵ３６は、この揺れ検知処理を終了させる。
【００６０】
次に、ＣＰＵ３６は、表示スイッチ２３ｇが押下されると、操作部２３からこの操作情報が供給されて、図４に示すフローチャートに従って、表示処理を実行する。
【００６１】
ＣＰＵ３６は、不揮発性メモリ３３から、発震時刻、揺れの継続時間、推定震度等のデータを読み出す（ステップＳ２１）。
【００６２】
ＣＰＵ３６は、これらのデータをディスプレイ２６ａに表示させて（ステップＳ２２）、この表示処理を終了させる。
【００６３】
次に、地震報知時計１の動作を具体的に説明する。
例えば、西暦Ｘ年Ｙ月Ｚ日に震度３の地震が発生して、Ｖ分間継続したものとする。ＣＰＵ３６は、地震による揺れが発生したと判定した場合、時計回路から発震時刻を取得して、震度を推定する（ステップＳ１１、Ｓ１２の処理）。
【００６４】
周囲が明るい場合、発光器２５は消灯したままとなる（ステップＳ１３においてＹｅｓ）。
【００６５】
周囲が暗い場合、発光器２５は、推定震度に基づいて設定された明るさで、設定された発光時間だけ点灯する（ステップＳ１４〜Ｓ１６の処理）。
【００６６】
ＣＰＵ３６は、揺れている時間を計時し（ステップＳ１７の処理）、揺れ検知信号の信号レベルが揺れ判定値未満となった場合（ステップＳ１８においてＹｅｓ）、発光器２５は消灯する（ステップＳ１９の処理）。
【００６７】
そして、ＣＰＵ３６は、発震時刻、揺れの継続時間、推定震度として、それぞれ、西暦Ｘ年Ｙ月Ｚ日、Ｖ分、震度３のデータを不揮発性メモリ３３に記憶する（ステップＳ２０の処理）。
【００６８】
この揺れに関するデータを参照する場合、表示スイッチ２３ｇをオンする。表示スイッチ２３ｇがオンすると、ＣＰＵ３６は、応答して、不揮発性メモリ３３からデータを読み出す（図４のステップＳ２１の処理）。
【００６９】
表示部２６は、図５に示すように、ＣＰＵ３６が読み出した発震時刻；西暦Ｘ年Ｙ月Ｚ日、揺れの継続時間；Ｖ分、推定震度；震度３を表示する（ステップＳ２２の処理）。
【００７０】
以上説明したように、本実施形態によれば、地震報知時計１は、光センサ３２を備え、光センサ３２の光検知信号に基づいて、地震が発生したときの周囲の明るさを判定し、暗いと判定した場合には、発光器２５を発光させ、明るいと判定した場合には、発光器２５を消灯させるようにした。
【００７１】
従って、地震報知時計１は、周囲が暗い場合に、手元を明るくする照明として機能し、明るい場合には、消灯するので、消費電流が小さくなり、電池の寿命を伸ばすことができる。
【００７２】
また、発光器２５が点灯した場合、ＣＰＵ３６が推定震度に基づいて発光器２５が光を発したときの明るさ、発光時間を設定するようにしたので、発光器２５の明るさ、発光時間に基づいて震度を判別することができる。また、地震が起きた際、地震報知時計１が発光して周囲を明るく照らすことにより、部屋の照明を点灯させる前に部屋の中の状況を確認することができる。
【００７３】
また、通常使用時は、運針のみもしくは文字盤１４が文字を読み取ることができる程度に面発光させ、強い光は発しないので、このような機能を追加したとしても、通常時の消費電流にはほとんど影響を与えず、電池寿命に影響を与えるようなことはない。
【００７４】
また、地震報知時計１は、不揮発性メモリ３３を備え、地震による揺れが発生したときに、発震時刻、揺れの継続時間、推定震度等の揺れデータを不揮発性メモリ３３に記憶し、表示スイッチ２３ｇが押下されたときにこれらのデータを表示するようにした。
従って、発生した地震等による揺れに関する情報を、地震後に取得することができる。
【００７５】
尚、本発明を実施するにあたっては、種々の形態が考えられ、上記実施の形態に限られるものではない。
例えば、揺れセンサ３１は、圧電型加速度センサに限られるものではなく、例えば、導電型、圧電型、帰還型（サーボ型）、歪み計型、容量型の加速度センサであってもよい。さらに、揺れセンサ３１は、ＭＥＭＳ（Micro Electro Mechanical System）デバイスであってもよい。さらに、揺れセンサ３１は、地震報知時計１の傾きを検知するセンサであってもよい。
【００７６】
上記実施形態では、ＣＰＵ３６が推定震度に基づいて発光器２５が光を発したときの明るさ、発光時間を設定するようにした。しかし、これに限られるものではなく、例えば、ＣＰＵ３６が推定震度に基づいて発光器２５が発する光の色を設定することもできる。また、ＣＰＵ３６が発光器２５を点滅させ、推定震度に基づいて、この発光器２５の点滅間隔を設定することもできる。
【図面の簡単な説明】
【００７７】
【図１】本発明の実施形態に係る地震報知時計の構成を示すブロック図である。
【図２】図１に示す地震報知時計の外観を示す図であり、（ａ）は、地震報知時計の前面を示し、（ｂ）は、地震報知時計の背面を示す。
【図３】図１に示すＣＰＵが実行する揺れ検知処理を示すフローチャートである。
【図４】図１に示すＣＰＵが実行する表示処理を示すフローチャートである。図である。
【図５】図１に示すＣＰＵが表示処理を実行したときに表示部のディスプレイに表示されるデータを示す図である。
【符号の説明】
【００７８】
１    地震報知時計
１１  電源部
１２  時計部
１３  揺れ処理部
２５  発光器
２６  表示部
３１  揺れセンサ
３２  光センサ
３３  不揮発性メモリ
３６  ＣＰＵ
【図１】
2007248130.tif 000003
【図２】
2007248130.tif 000004
【図３】
2007248130.tif 000005
【図４】
2007248130.tif 000006
【図５】
2007248130.tif 000007